(57)【要約】【課題】収納される図書の版型に関わらず、図書の背表紙を容易に判別することができるコンテナを提供すること。【解決手段】複数の図書２を前後２列で背表紙２ａを外側方に向けて、図書２の厚み方向に並べて収納可能としたコンテナ１であって、コンテナ１の底面３を、コンテナ１の前後にそれぞれ設けられた各側壁５から中央方向に向かってそれぞれ上り傾斜８とした。この上り傾斜８は、上り階段状に形成されていてもよく、あるいは、この上り階段状を図書２の判型の奥行き寸法に対応して形成してもよい。【選択図】図３
2010173648.tif 000002
【特許請求の範囲】
【請求項１】
複数の図書を前後２列で背表紙を外側方に向けて、該図書の厚み方向に並べて収納可能としたコンテナであって、
前記コンテナの底面を、該コンテナの前後にそれぞれ設けられた各側壁から中央方向に向かってそれぞれ上り傾斜としたことを特徴とするコンテナ。
【請求項２】
前記上り傾斜は、上り階段状に形成されていることを特徴とする請求項１に記載のコンテナ。
【請求項３】
前記上り階段は、前記図書の判型の奥行き寸法に対応して形成されていることを特徴とする請求項２に記載のコンテナ。
【請求項４】
前記コンテナの底面の前後方向中央部を水平面とし、該水平面の前後端縁に前記上り傾斜が連設されていることを特徴とする請求項１ないし３のいずれかに記載のコンテナ。
【請求項５】
前記水平面には、前後方向に位置調整可能な仕切板が設けられていることを特徴とする請求項４に記載のコンテナ。
【発明の詳細な説明】
【技術分野】
【０００１】
本発明は、複数の図書を前後２列で背表紙を前後方向の外側方に向けて、該図書の厚み方向に並べて収納可能としたコンテナに関する。
【背景技術】
【０００２】
従来、コンテナは、矩形の底部と、この底部の左右方向である一対の短辺側縁部から立設する一対の第１側壁部と、底部の前後方向である一対の長辺側縁部から立設する一対の第２側壁部（側壁）と、から構成される物品収容空間を有しており、この物品収容空間を一対の第１側壁部間に設けられた第２仕切板と、第２仕切板と第２側壁部との間に設けられた第１仕切板と、によって仕切ることにより、複数の図書を前後２列で背表紙を前後方向の外側方に向けて、図書の厚み方向に並べて収容できるようにしているものがある（例えば、特許文献１参照）。
【先行技術文献】
【特許文献】
【０００３】
【特許文献１】特開２０００−１４２７０３号公報（第５頁、第８図）
【発明の概要】
【発明が解決しようとする課題】
【０００４】
しかしながら、特許文献１に記載のコンテナにあっては、大きな判型の図書の間に小さな判型の図書が収納されると、小さな判型の図書が大きな判型の図書の影に隠れてしまい、使用者は図書の背表紙に書いてある図書のタイトル等を判別し難いという問題があった。
【０００５】
本発明は、このような問題点に着目してなされたもので、収納される図書の判型に関わらず、図書の背表紙を容易に判別することができるコンテナを提供することを目的とする。
【課題を解決するための手段】
【０００６】
前記課題を解決するために、本発明の請求項１に記載のコンテナは、
複数の図書を前後２列で背表紙を外側方に向けて、該図書の厚み方向に並べて収納可能としたコンテナであって、
前記コンテナの底面を、該コンテナの前後にそれぞれ設けられた各側壁から中央方向に向かってそれぞれ上り傾斜としたことを特徴としている。
この特徴によれば、コンテナ内に収納された図書の底部が上り傾斜に摺接することで背表紙をコンテナの前後の各側壁に当接されるので、コンテナ内に判型の異なる図書が収容されていても各図書の背表紙が面一に配置され、使用者は図書の判型に関係なく、図書の背表紙に書かれているタイトル等を容易に判別することができる。
また、例えば、図書の背表紙に電子タグ等が貼り付けられている場合には、前後に並べた図書の背表紙がコンテナの前後の側壁にそれぞれ当接することで、電子タグが側壁側に整列して配置されるので、タグリーダによる電子タグ内に記憶されている情報の読み取り精度を向上させることができる。
【０００７】
本発明の請求項２に記載のコンテナは、請求項１に記載のコンテナであって、
前記上り傾斜は、上り階段状に形成されていることを特徴としている。
この特徴によれば、コンテナ内に収納される図書の底部とコンテナの底面との当接面を少なくすることができるので、コンテナ内に収納される図書は上り階段に沿って摺動し易くなり、他の図書と背表紙を面一にし易くなる。
【０００８】
本発明の請求項３に記載のコンテナは、請求項２に記載のコンテナであって、
前記上り階段は、前記図書の判型の奥行き寸法に対応して形成されていることを特徴としている。
この特徴によれば、図書の小口側が上り階段の判型に合った最適な段部に当接するので、振動等により図書の背表紙がコンテナの前後の側壁から離間してしまうことを防ぐことができる。
【０００９】
本発明の請求項４に記載のコンテナは、請求項１ないし３のいずれかに記載のコンテナであって、
前記コンテナの底面の前後方向中央部を水平面とし、該水平面の前後端縁に前記上り傾斜が連設されていることを特徴としている。
この特徴によれば、例えば、コンテナ内に前後２列で収納しきれない新聞紙等の版の大きな図書であっても、水平面上に平積みすることで収納することができる。
【００１０】
本発明の請求項５に記載のコンテナは、請求項４に記載のコンテナであって、
前記水平面には、前後方向に位置調整可能な仕切板が設けられていることを特徴としている。
この特徴によれば、仕切板の前後位置を調整することによって、コンテナの前後で異なるサイズの図書を収納することができるだけでなく、水平面上に載置する図書の種々の大きさに対応できる。
【図面の簡単な説明】
【００１１】
【図１】本発明の実施例１におけるコンテナの全体像を示す斜視図である。
【図２】コンテナの平面図である。
【図３】図２におけるコンテナのＡ−Ａ断面図である。
【図４】図３におけるコンテナの一部拡大図である。
【図５】実施例２におけるコンテナの縦断側面図である。
【発明を実施するための形態】
【００１２】
本発明に係るコンテナを実施するための形態を実施例に基づいて以下に説明する。
【実施例１】
【００１３】
本発明の実施例を図面に基づいて説明すると、先ず図１は、本発明の実施例１におけるコンテナの全体像を示す斜視図であり、図２は、コンテナの平面図であり、図３は、図２におけるコンテナのＡ−Ａ断面図であり、図４は、図３におけるコンテナの一部拡大図である。以下、図２の紙面下方側をコンテナの正面側とし、図３の紙面左側をコンテナの正面側として説明する。
【００１４】
図１の符号１は、本発明の適用されたコンテナである。このコンテナ１は、ポリプロピレン等の樹脂材によって構成されており、例えば、図書館の閉架書庫にて複数冊の図書２（図３参照）を収容した状態で書棚に収容され、スタッカークレーン等の搬送手段によって書棚から取り出された後に開架書庫まで搬送され、収納している図書を使用者に貸し出す為に用いられているものである。
【００１５】
このコンテナ１は、図１及び図２に示すように、平面視矩形状の底板３と、この底板３の左右端部から上方に向かって延設されている第１側壁４，４と、底板３の前後端部から上方に向かって延設されている側壁５，５と、によって構成されており、上方に向かって開口する略箱体に形成されている。このコンテナ１の内部には、前後の側壁５，５間で底板３の左右方向略中央から上方に向かって隔壁６が延設されており、この隔壁６と第１側壁４，４と側壁５，５とによって、図書２を収納するための左右２つの収納空間７，７が形成されている。
【００１６】
底板３は、図３に示すように、底板３の前後に設けられている側壁５，５から、コンテナ１の前後方向の中央に向かって複数の段部８ａ，８ｂ，８ｃを有する上り階段８に形成されている。底板３の前後方向の中央は、図２に示すように、底板３の左右にそれぞれ設けられている第１側壁４，４間で平面視長方形状の水平面９に形成されており、前後の上り階段８は、水平面９の前後端縁に連設されている。
【００１７】
また、左右の第１側壁４，４間には、収納空間７，７を前後方向に仕切る第１仕切板１０が設けられている。この第１仕切板１０によって、コンテナ１に収納される図書２は、前後の収納空間７，７にて背表紙２ａをコンテナ１の前後方向の外側方に向けられた状態で、図書２の厚み方向である左右方向に並べられて収納されるようになっている。更に、この第１仕切板１０は、収納空間７，７を前後方向に複数段階（本実施例では５段階）で位置調整可能となっており、前後で仕切られた収納空間７，７で収納可能な図書２の大きさを調整可能となっている。
【００１８】
具体的には、左右の第１側壁４，４の上端部の前後方向略中央には、図１及び図２に示すように、上方及びコンテナ１の内側に向かって開口する第１切欠４ａが、それぞれ両第１側壁４，４間で左右に対向して前後方向に複数条（本実施例では５条）形成されている。これら５組の左右方向に対向する一対の第１切欠４ａ，４ａ間には、隔壁６を跨いで左右の収納空間７，７を前後に仕切る第１仕切板１０の左右端部を上方から挿通可能となっている。
【００１９】
第１仕切板１０の下端部には、左右方向に複数条の図示しない嵌合片が下方に向かって延設されている。これら嵌合片は、第１仕切板１０の左右端部を第１切欠４ａ，４ａに挿通される際に、水平面９に左右方向を向いて前後方向に複数条が穿設された第１長孔９ａに嵌合可能となっている。このため、第１仕切板１０は、左右端部を第１切欠４ａ，４ａに上方から挿通させながら図示しない嵌合片を第１長孔９ａに嵌合させることで、左右の収納空間７，７を前後に強固に前後に仕切ることができる。
【００２０】
一方、コンテナ１の前後の側壁５，５には、第１仕切板１０によって前後に仕切られた収納空間７，７を、更にそれぞれ左右に仕切る第２仕切板１１，１１が設けられており、収納空間７，７に収容されている図書２を例えば図書２のジャンルや判型の大きさによって仕切ることができるようになっている。これら第２仕切板１１，１１は、収納空間７，７を左右方向に複数段階（本実施例では５段階）で位置調整可能となっている。
【００２１】
具体的には、前後の側壁５，５の上端部には、図１及び図２に示すように、左右方向の略全長に亘って上方及びコンテナ１の内側に向かって開口する第２切欠５ａが、それぞれ両側壁５，５間で前後に対向して左右方向に複数条（本実施例では１０条）形成されている。
【００２２】
これら１０組の前後方向に対向する一対の第２切欠５ａ，５ａは、隔壁６を境に両側壁５，５に等間隔に５組ずつ形成されており、これら第２切欠５ａ，５ａ間には、隔壁６と平行となるように第２仕切板１１，１１の前後端部が上方から挿通可能となっている。
【００２３】
また、第１仕切板１０には、これら第２仕切板１１，１１が前後端部を第２切欠５ａ，５ａに挿通させる際に、前後方向略中央部で挿通させる前後方向及び上方に開口するスリット１０ａが形成されている。これらスリット１０ａに第２仕切板１１，１１の前後方向略中央部が挿通されることによって、第２仕切板１１，１１の左右方向への撓みが防止されている。
【００２４】
更に、第２仕切板１１の下端部には、第１仕切板１０と同じく前後方向に複数条の図示しない嵌合片が下方に向かって延設されている。これら嵌合片は、第２仕切板１１の前後端部を第２切欠５ａ，５ａに挿通される際に、前後の上り階段８，８に前後方向を向いて左右方向に複数条が穿設された第２長孔８ｄに嵌合可能となっている。このため、第２仕切板１１は、前後端部を第２切欠５ａ，５ａに上方から挿通させながら図示しない嵌合片を第２長孔８ｄに嵌合させることで、収納空間７，７を左右に強固に前後に仕切ることができる。
【００２５】
次に、底板３に形成されている前後の上り階段８，８について説明する。以降、これら上り階段８，８は、前後対称のため、前方側の上り階段８についてのみ説明する。この上り階段８は、図３に示すように、側壁５から水平面９にかけて３段の段部８ａ，８ｂ，８ｃによって構成されている。これら段部８ａ，８ｂ，８ｃの前後寸法は、収納空間７に収納される図書２の判型の奥行き寸法に対応して形成されており、それぞれ異なる判型の図書２の底部が当接するようになっている。
【００２６】
具体的には、段部８ａは、側壁５の背面５ｂ側から水平面９に向かって延設される第１水平面１２ａと、第１水平面１２ａの後端部から上方に向かって垂直に延設される第１垂直面１２ｂと、によって構成されている。そして、側壁５の背面５ｂと第１垂直面１２ｂとの間の前後寸法は、例えば、文庫本２ｄの判型の奥行き寸法と略同一に形成されている。
【００２７】
また、段部８ｂは、第１垂直面１２ｂの上端部から水平面９に向かって延設される第２水平面１３ａと、第２水平面１３ａの後端部から上方に向かって垂直に延設される第２垂直面１３ｂと、によって構成されている。そして、側壁５の背面５ｂと第２垂直面１３ｂとの間の前後寸法は、例えば、Ｂ５判の雑誌２ｃの判型の奥行き寸法と略同一に形成されている。
【００２８】
更に、段部８ｃは、第２垂直面１３ｂの上端部から水平面９に向かって延設される第３水平面１４ａと、第３水平面１４ａの後端部から上方に向かって垂直に延設される第３垂直面１４ｂと、によって構成されている。そして、側壁５の背面５ｂと第３垂直面１４ｂとの間の前後寸法は、例えば、Ａ４判の雑誌２ｄの判型の奥行き寸法と略同一に形成されている。
【００２９】
前述のように上り階段８が形成されることで、図書２は、図３及び図４に示すように、背表紙２ａを側壁５の背面５ｂに当接させるとともに、第１垂直面１２ｂ，１３ｂ，１４ｂに図書２の小口の下端部を当接させることで、前後をコンテナ１に挟持された状態となる。この状態で、図書２は、底部を第１水平面１２ａ，１３ａ，１４ａに当接させて収納空間７に収納されるため、文庫本２ｄとＢ５判の雑誌２ｃとＡ４判の雑誌２ｄ等の異なる判型の図書２が収納されても、全て背表紙２ａが正面側の側壁５側に面一に整列配置される。
【００３０】
以上、本実施例におけるコンテナ１では、複数の図書２を前後２列で背表紙２ａを外側方に向けて、図書２の厚み方向に並べて収納可能としたコンテナ１であって、コンテナ１の底板３を、コンテナ１の前後にそれぞれ設けられた各側壁５，５から中央方向に向かってそれぞれ上り階段８に形成されているので、コンテナ１内に収納される図書２の底部とコンテナ１の底板３との当接面を少なくすることができるので、コンテナ１内に収納される図書２は上り階段８に沿って摺動し易くなり、他の図書２と背表紙２ａを面一にし易くなる。
【００３１】
また、上り階段８は、図書２の判型の奥行き寸法に対応して形成されていることによって、図書２の小口側が上り階段８の判型に合った最適な段部８ａ，８ｂ，８ｃに当接するので、振動等により図書２の背表紙２ａがコンテナ１の前後の側壁５，５から離間してしまうことを防ぐことができる。
【００３２】
また、水平面９には、前後方向に位置調整可能な第１仕切板１０が設けられているので、第１仕切板１０の前後位置を調整することによって、コンテナ１の前後で異なるサイズの図書２を収納することができるだけでなく、水平面９上に載置する図書２の種々の大きさに対応できる。
【実施例２】
【００３３】
次に、実施例２に係るコンテナにつき、図５を参照して説明する。尚、前記実施例と同一構成で重複する構成を省略する。
【００３４】
図５は、実施例２におけるコンテナの縦断側面図である。
【００３５】
図５に示すように、このコンテナ１５は、底板１６の左右端部から上方に向かって延設されている第１側壁４，４と、底板１６の前後端部から上方に向かって延設されている第２側壁１７，１７と、によって構成されており、上方に向かって開口する略箱体に形成されている。このコンテナ１５の内部は、これら第１側壁４と第２側壁１７とによって図書２を収納するための収納空間７が形成されている。
【００３６】
底板１６は、図５に示すように、底板１６の前後に設けられている第２側壁１７から、コンテナ１５の前後方向の中央に向かって上方に角度θの傾斜をなす、本発明における上り傾斜としての上り傾斜面１８に形成されている。底板１６の前後方向の中央は、水平面９に形成されており、前後の上り傾斜面１８は、それぞれ水平面９の前後端縁に連設されている。
【００３７】
また、第２側壁１７の背面１７ａは、下端部から上方に向けてコンテナ１５の前後方向の外側方に向けて上り傾斜面１８と同一傾斜角である角度θの傾斜をなして形成されている。尚、本実施例では、これら上り傾斜面１８と背面１７ａの角度θは２度に形成されているが、コンテナ１５内に収納されている図書２が脱落する角度でなければ角度θは特に限定されない。
【００３８】
そして、上述のように上り傾斜面１８と背面１７ａに角度θの傾斜を形成することによって、図書２は、背表紙２ａをコンテナ１５の前後方向の外側方に向けて収納空間７に収納されることによって、底部を上り傾斜面１８に摺接させながらコンテナ１５の前後方向の外側方に向かって移動がなされる。このとき、第２側壁１７の背面１７ａに背表紙２ａが当接することにより、収納空間７に収納されている図書２の背表紙２ａがコンテナ１５の前後方向の外側方に向けて面一に整列配置される。
【００３９】
以上、本実施例におけるコンテナ１５では、複数の図書２を前後２列で背表紙２ａを外側方に向けて、図書２の厚み方向に並べて収納可能としたコンテナ１５であって、コンテナ１５の底板１６を、コンテナ１５の前後にそれぞれ設けられた各第２側壁１７，１７から中央方向に向かってそれぞれ上り傾斜面１８としたことによって、コンテナ１５内に収納された図書２の底部が上り傾斜面１８に摺接することで背表紙２ａをコンテナ１５の前後の各第２側壁１７，１７に当接されるので、コンテナ１５内に判型の異なる図書２が収容されていても各図書２の背表紙２ａが面一に配置され、使用者は図書２の判型に関係なく、図書２の背表紙２ａに書かれているタイトル等を容易に判別することができる。また、例えば、図書２の背表紙２ａに電子タグ等が貼り付けられている場合には、前後に並べた図書２の背表紙２ａがコンテナ１５の前後の第２側壁１７，１７にそれぞれ当接することで、電子タグが第２側壁１７，１７側に整列配置されるので、タグリーダによる電子タグ内に記憶されている情報の読み取り精度を向上させることができる。
【００４０】
また、コンテナ１５の底板１６の前後方向中央部を水平面９とし、水平面９の前後端縁に上り傾斜面１８が連設されていることによって、例えば、コンテナ１５内に前後２列で収納しきれない新聞紙等の版の長寸な図書であっても、水平面９上に平積みすることで収納することができる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、前記実施例１では、上り傾斜を図書２の判型に対応して３段の段部８ａ，８ｂ，８ｃを有する上り階段８に形成したが、上り傾斜を判型にとらわれずに角度θをなすように、より細かいピッチの上り階段に形成して、前後の側壁５，５側に向かって図書２が摺接しやすいようにしてもよい。この場合には、前後の側壁５，５は、下端から上方に向けて上り傾斜の角度θとほぼ同じ角度で外方に傾斜させる。
【００４３】
また、前記実施例１では、図書２を側壁５の背面５ｂと第１垂直面１２ｂ，１３ｂ，１４ｂとの間で挟持することで、文庫本２ｄとＢ５判の雑誌２ｃとＡ４判の雑誌２ｄを収納空間７に収納したが、タブロイド判等のＡ４判よりも大きいサイズの図書２場合には、側壁５の背面と第１仕切板１０の正面または背面との間で図書２を挟持するようにしてもよい。
【００４４】
また、前記実施例２では、コンテナ１５の底板１６に上り傾斜面１８を形成し、図書２の底部を上り傾斜面１８に摺接させることによって図書２の背表紙２ａを第２側壁１７の背面１７ａに当接するようにしたが、上り傾斜面１８にフッ素樹脂等の動摩擦計数の小さい低摩擦材を貼り付けることによって、確実に図書２の底部が上り傾斜面１８に摺接するようにしてもよい。
【符号の説明】
【００４５】
１                コンテナ
２                図書
２ａ              背表紙
３                底板
４                第１側壁
５                第２側壁
５ｂ              背面
７                収納空間
８                上り階段
８ａ，８ｂ，８ｃ  段部
９                水平面
１２ａ            第１水平面
１２ｂ            第１垂直面
１３ａ            第２水平面
１３ｂ            第２垂直面
１４ａ            第３水平面
１４ｂ            第３垂直面
１５              コンテナ
１６              底板
１７              第２側壁
１７ａ            背面
１８              上り傾斜面（上り傾斜）
【図１】
2010173648.tif 000003
【図２】
2010173648.tif 000004
【図３】
2010173648.tif 000005
【図４】
2010173648.tif 000006
【図５】
2010173648.tif 000007